(57)【要約】【課題】循環器Ｘ線検査装置等では検査室の床に足踏式スイッチが置かれるのが一般的であるが、被検者の入れ替えの期間中は装置の電源は通常オンのままである。そのためこの期間に、例えば検査室の床の清掃を行う作業者等、これらの装置について十分な知識を持たない者が不注意に足踏式スイッチにふれてスイッチがオンになると、Ｘ線が発生して思わぬ被爆をする危険がある。【解決手段】検査のために被検者３が天板５ａの上に載ると、天板５ａおよび天板保持部５ｂは被検者３の体重により、台部５ｆの上面の４隅に取り付けられた保持部受部材５ｇに支えられる高さまで下降する。この状態のとき被検者検出スイッチ５ｄの押しボタンが天板保持部５ｂの底面によって押され、被検者検出スイッチ５ｄは被検者３が天板５ａの上に載っていることを知らせる信号をＸ線制御器９に出力し、Ｘ線制御器９はＸ線の発生を許可する。【選択図】          図１
2006271766.tif 000002
【特許請求の範囲】
【請求項１】
足踏式スイッチが踏まれている間Ｘ線を発生させるＸ線透視撮影装置において、検診台に被検者が乗載されていることを検出する検出手段を設け、前記検出手段からの検出信号を足踏式スイッチが踏まれたときのＸ線発生の許可要件とするＸ線制御手段を備えたことを特徴とするＸ線透視撮影装置。
【請求項２】
足踏式スイッチが踏まれている間Ｘ線を発生させるＸ線透視撮影装置において、検診台に被検者が乗載されていることを検出する検出手段と、前記検出手段からの検出信号を足踏式スイッチが踏まれたときのＸ線発生の許可要件とするＸ線制御手段と、前記検出手段からの検出信号を足踏式スイッチが踏まれたときのＸ線発生の許可要件から除外する指示を前記Ｘ線制御手段に入力する入力手段を設けたことを特徴とするＸ線透視撮影装置。
【請求項３】
検出手段は天板が被検者の体重によって下降することを検出する検出器であることを特徴とする請求項１あるいは請求項２記載のＸ線透視撮影装置。
【発明の詳細な説明】
【技術分野】
【０００１】
Ｘ線により透視および撮影を行うＸ線透視撮影装置に関する。
【背景技術】
【０００２】
Ｘ線により透視および撮影を行うＸ線透視撮影装置の中に循環器Ｘ線検査装置がある。この装置を用いて行う検査を説明するための概略の装置構成図を図２に示す。術者が被検者３を検診台５の天板５ａの上に載せて足踏式スイッチであるフットスイッチ６を踏むとその出力がＸ線制御器９に入力される。例えばマイクロコンピュータを内蔵するＸ線制御器９は高電圧発生器１０に対して、フットスイッチ６が踏まれている間Ｘ線管１にＸ線を発生させるための高電圧を印加するよう指示を出す。この結果例えばＣ型アーム等のＸ線保持装置４の一端に取り付けられたＸ線管１から発生したＸ線が被検者３を透過して、Ｘ線保持装置４の他端に取り付けられた例えばイメージインテンシファイアおよびテレビカメラから構成されるＸ線受光装置２によって受光される。被検者３の透視像はＸ線受光装置２によりビデオ信号に変換され、ケーブルにより接続されたモニタ装置７に表示される。術者はモニタ装置７に表示された透視像を観察しながら血管造影撮影のためのカテーテルの挿入や撮影部位の位置決め等を行う。術者はこれらの作業のために両手を使用するので、通常このような装置では透視のオン、オフを足で行うことができるようにフットスイッチ６が設けられている。透視下で行う作業を終了したら術者は以後の撮影のＸ線被爆を避けられる場所に移動する。別の操作者はそのことを確認した後Ｘ線制御器９のパネル（図示しない）を操作してＸ線撮影を行う（例えば特許文献１参照）。
【０００３】
なお検診台５はたとえばカーボンファイバーのようなＸ線吸収の少ない材料で作られた天板５ａを長手方向に摺動可能に保持する天板保持部５ｂが台部５ｆに取り付けられた例を示している。透視や撮影のためのＸ線の照射は天板５ａの移動により被検者３の検査部位を天板保持部５ｂ等Ｘ線吸収の大きいものが存在しない空間に配置して行われる。
【特許文献１】特開平８−３３６５１８号公報
【発明の開示】
【発明が解決しようとする課題】
【０００４】
循環器Ｘ線検査装置等では上記のような理由で検査室の床に足踏式スイッチが置かれるのが一般的であるが、被検者の入れ替えの期間中はＸ線制御器を含む装置の電源は通常オンのままである。そのためこの期間に、例えば検査室の床の清掃を行う作業者等、これらの装置について十分な知識を持たない者が不注意に足踏式スイッチにふれてスイッチがオンになると、Ｘ線が発生して思わぬ被爆をする危険がある。
【０００５】
このような危険を回避するために、例えばＸ線保持装置を所定の位置まで退避させるとそのことによりマイクロスイッチ等の位置検出スイッチが動作して、足踏式スイッチが踏まれてもＸ線を発生しないように構成されている装置や、Ｘ線制御器のパネル上に切り替えスイッチを設けて、足踏式スイッチが踏まれてもＸ線の発生を禁止させることができる装置等もあるが、前者はＸ線保持装置を所定の位置まで退避させる作業が煩雑なため実行されないことも多く、後者についても実行することを忘れるおそれがあり必ずしも有効な対策になっていない。
【０００６】
本発明は上記の事情に鑑み、足踏式スイッチを用いて透視を行うＸ線透視撮影装置において、被検者の入れ替え時等被検者が検診台に載っていない期間中に不注意に足踏式スイッチを踏んでもＸ線が発生せず、不要なＸ線被爆を防止できるＸ線透視撮影装置を提供することを目的とする。
【課題を解決するための手段】
【０００７】
請求項１記載の発明は上記の目的を達成するために、足踏式スイッチが踏まれている間Ｘ線を発生させるＸ線透視撮影装置において、検診台に被検者が載っていることを検出する検出手段を設け、前記検出手段が前記検診台に前記被検者が載っていることを検出したときの出力を、足踏式スイッチが踏まれたときのＸ線発生の許可要件の一つとするＸ線制御手段を備えたＸ線透視撮影装置を提供するものである。
【０００８】
請求項２記載の発明は上記の目的を達成するために、足踏式スイッチが踏まれている間Ｘ線を発生させるＸ線透視撮影装置において、検診台に被検者が乗載されていることを検出する検出手段と、前記検出手段からの検出信号を足踏式スイッチが踏まれたときのＸ線発生の許可要件とするＸ線制御手段と、前記検出手段からの検出信号を足踏式スイッチが踏まれたときのＸ線発生の許可要件から除外する指示を前記Ｘ線制御手段に入力する入力手段を設けたＸ線透視撮影装置を提供するものである。
【０００９】
請求項２記載の発明は検出手段からの検出信号をＸ線発生のための許可要件から除外する指示を入力する入力手段を設けることにより、被検者が検診台に載っていない状態でＸ線を発生させることができるので、定期点検やキャリブレーションの実施時等に請求項１記載の発明に比べてより有効である。
【００１０】
請求項３記載の発明は上記の目的を達成するために、検出手段は複数個の弾性体により検診台の台部の上に取り付けられ、摺動可能に天板を保持する天板保持部が、天板上の被検者の体重により下降することにより動作する、前記台部に取り付けられたスイッチである請求項１あるいは請求項２記載のＸ線透視撮影装置を提供するものである。
【発明の効果】
【００１１】
本発明により足踏式スイッチを用いて透視を行うＸ線透視撮影装置において、被検者の入れ替え時等被検者が検診台に載っていない期間中に不注意に足踏式スイッチが踏まれたことによる不要なＸ線被爆を防止することができる。
【発明を実施するための最良の形態】
【００１２】
本発明の実施例を図１を用いて説明する。検診台５の天板５ａおよび天板５ａを長手方向に摺動可能に保持する天板保持部５ｂは例えば４個のバネ５ｃにより検診台５の台部５ｆの上面の４隅近傍に取り付けられ、被検者３が天板５ａの上に載っていないとき台部５ｆの上面に取り付けられた被検者検出スイッチ５ｄの押しボタンは天板保持部５ｂの底面によって押されない。
【００１３】
検査のために被検者３が天板５ａの上に載ると、天板５ａおよび天板保持部５ｂは被検者３の体重により、台部５ｆの上面の４隅に取り付けられた保持部受部材５ｇに支えられる高さまで下降する。この状態のとき被検者検出スイッチ５ｄの押しボタンは天板保持部５ｂの底面によって押され、被検者検出スイッチ５ｄは被検者３が天板５ａの上に載っていることを知らせる信号をＸ線制御器９に出力する。
【００１４】
術者が透視を行うためにフットスイッチ６を踏むとその出力がＸ線制御器９に入力される。マイクロコンピュータ等を内蔵してＸ線発生の制御を行うＸ線制御器９は被検者検出スイッチ５ｄが被検者３が天板５ａの上に載ったことを知らせる信号を出力していることを確認した場合、高電圧発生器１０に対して、フットスイッチ６が踏まれている間Ｘ線管１に高電圧を印加するよう指示を出す。この結果例えばＣ型アーム等のＸ線保持装置４の一端に取り付けられたＸ線管１からＸ線が発生し、被検者３を透過してＸ線保持装置４の他端に取り付けられた例えばイメージインテンシファイアおよびテレビカメラから構成されるＸ線受光装置２によって透視像として受光される。被検者３の透視像はＸ線受光装置２によりビデオ信号に変換され、ケーブルで接続されたモニタ装置７に表示される。術者はモニタ装置７に表示された透視像を観察しながら血管造影撮影のためのカテーテルの挿入や撮影部位の位置決め等を行う。
【００１５】
上記の説明で被検者３が天板５ａの上に載っていなくて、そのため被検者検出スイッチ５ｄが被検者３が天板５ａの上に載ったことを知らせる信号をＸ線制御器９に出力していない場合、術者が透視を行うためにフットスイッチ６を踏んでその出力がＸ線制御器９に入力されても、Ｘ線制御器９は高電圧発生器１０に対して高電圧を印加する指示を出さないのでＸ線は発生されず、モニタ装置７への透視像の表示も行われない。そしてＸ線制御器９は例えばモニタ装置７の近傍に設置された表示器８に、「被検者が天板に載っていません」等の表示を行い術者にＸ線が照射されない理由を知らせる。
【００１６】
上記の機能により、例えば被検者３の入れ替え時等被検者３が天板５ａに載っていない期間中に、例えば検査室の床の清掃を行う作業者等、これらの装置について十分な知識を持たない者が不注意にフットスイッチ６にふれてスイッチがオンになってもＸ線は発生しないため、不要な被爆を防止することができる。
【００１７】
また定期点検やキャリブレーションの実施時等、被検者３が天板５ａの上に載っていない状態でＸ線を発生させたい場合のために、例えば検診台５の台部５ｆの側面にノンロック式の押しボタンであるＸ線許可スイッチ５ｅが設けられている。このＸ線許可スイッチ５ｅが押されているときは被検者３が天板５ａ上にいてもいなくても、Ｘ線制御器９はフットスイッチ６が踏まれている間、高電圧発生器１０に対してＸ線管１に高電圧を印加するよう指示を出す。
【００１８】
上記の実施例では被検者検出スイッチ５ｄを押しボタンスイッチにより構成したが、その代わりに被検者３の体重により動作するマイクロスイッチや圧力センサを用いてもよい。
【産業上の利用可能性】
【００１９】
Ｘ線により透視および撮影を行うＸ線透視撮影装置に関する。
【図面の簡単な説明】
【００２０】
【図１】本発明の実施例を説明するための概略のＸ線透視撮影装置構成図
【図２】従来のＸ線透視撮影装置を説明するための概略の構成図
【符号の説明】
【００２１】
１：Ｘ線管
２：Ｘ線受光装置
３：被検者
４：Ｘ線保持装置
５：検診台
５ａ：天板
５ｂ：天板保持部
５ｃ：バネ
５ｄ：被検者検出スイッチ
５ｅ：Ｘ線許可スイッチ
５ｆ：台部
５ｇ：保持部受部材
６：フットスイッチ
７：モニタ装置
８：表示器
９：Ｘ線制御器
１０：高電圧発生器
【図１】
2006271766.tif 000003
【図２】
2006271766.tif 000004